(57)【要約】【課題】取り扱いが容易で汚れず、臭いも発生せず、目的の深さの魚棚にまき餌が可能なまき餌入りもなかを提供すること。【解決手段】まき餌入りもなか１０は、イワシのミンチあるいはオキアミ等の魚の餌材１２を２枚の中空状もなかの皮１１、１３の中に充填し、もなかの皮同士の接合面に接着剤１４を塗布して接着し密封する。本発明のまき餌入りもなかは製造が容易であり、簡単に扱え、冷凍保存することにより１年中安定供給でき、素手で扱っても手に臭いや汚れが着かず、漁場に投入後２５秒から３５秒後に海中において速やかに溶解して崩壊し、ピンポイントの集魚を可能にする。更に、もなかは無害で水に溶けてしまうのでゴミにならず、無公害である。【選択図】      図１
2004275018.tif 000002
【特許請求の範囲】
【請求項１】
魚の餌材を２枚の中空状もなかの皮の中に充填し、前記もなかの皮同士の接合面に接着剤を塗布して接着し密封したことを特徴とするまき餌入りもなか。
【請求項２】
前記もなかの皮の中に充填し密封する餌材の水分含有量が２５重量％以下であることを特徴とする請求項１記載のまき餌入りもなか。
【請求項３】
前記もなかの皮の肉厚が２ｍｍに成形されており、前記接着剤としてにかわを使用することを特徴とする請求項１記載のまき飼入りもなか。
【請求項４】
前記もなかの皮の材料が、小麦粉、澱粉、糖分、塩分、油分、膨張剤を含むことを特徴とする請求項１記載のまき飼入りもなか。
【発明の詳細な説明】
【０００１】
【発明の属する技術分野】
本発明はまき餌入りもなかに関し、特に取り扱いが容易で汚れず、臭いも発生せず、目的の深さの魚棚にまき餌が可能なまき餌入りもなかに関するものである。
【０００２】
【従来の技術】
従来のまき餌は、冷凍アミエビ、冷凍オキアミ、冷凍イワシのミンチ等の餌材を直接マキエカゴに詰めるか、あるいは、前記餌材を多孔膜、ネット、不織布等の透水性を有する包装材に充填して包覆成形したものをマキエカゴに入れて海に投入する方法が一般的であった。また、特開２００１−１２０１９２号公報には、魚介類ペーストと結着剤との混合物を乾燥した固形物をマキエカゴに入れて海に投入するまき餌が開示されている。
【０００３】
【発明が解決しようとする課題】
上記した従来のまき餌は投入直後から海中で徐々に溶解する適度な崩壊牲を備えているため、目的の魚棚まで到達する前にまき餌が分散し始め、狙った魚の集魚効果が低下してしまうという問題点があった。また、まき餌材が空気中に開放されているため、酸化、腐敗が進み易く、嫌気性臭気ガスが発生し、加えて餌材を直接手で触れなければならないため、特に婦女子等においては臭いや汚れに嫌悪感を感ずるという問題点があった。
【０００４】
本発明の目的は、前記のような従来技術の問題点を解決し、取り扱いが容易で汚れず、臭いも発生せず、目的の深さの魚棚にまき餌が可能なまき餌入りもなかを提供することにある。
【０００５】
【課題を解決するための手段】
本発明のまき餌入りもなかは、室温環境においてイワシのミンチあるいはオキアミ等の魚の餌材を２枚の中空状もなかの皮の中に充填し、前記もなかの皮同士の接合面に接着剤を塗布して接着し密封したことを特徴とする。
【０００６】
本発明のまき餌入りもなかは製造が容易であり、お菓子のもなかと同じように簡単に扱え、冷凍保存することにより１年中安定供給でき、マキエカゴに素手で入れても手に臭いや汚れが着かず、しかも海の漁場に投入後２５秒から３５秒後に海中において速やかに溶解して崩壊し、ピンポイントの集魚を可能にする。更に、もなかは無害で水に溶けてしまうのでゴミにならず、無公害である。
【０００７】
【発明の実施の形態】
以下、本発明の実施の形態を詳細に説明する。図１は、本発明のまき餌入りもなかの製造工程を示す説明図である。
（ａ）はもなか皮片１１を示す断面図である。この発明に使用するもなか皮片１１（１３）の生地は、公知の材料を従来の配合で混合して配合基材とし、これに水を加えたものである。例えば生地基材は以下のような配合であってもよい。
【０００８】
小麦粉      ７３重量％
澱粉        １７．３重量％
糖分          ５．５重量％
塩分          ０．５重量％
油分          ２．５重量％
膨張剤        １．２重量％
この配合基材に生地基材の重量の２倍（２００重量％）の水を加え、混合撹拌した生地を２００度の温度で９０秒間焼成することにより、半割した形状のもなか皮片１１（１３）が製造される。
【０００９】
（ｂ）において、一方のもなか皮片１１を所定位置に配置し、室温環境にてそのもなか皮片に冷凍アミエビ、冷凍オキアミ、冷凍イワシのミンチ等の餌材からなるまき餌１２を詰める。
【００１０】
充填密封する餌材１２の水分含有量を２０重量％以下にすることにより、もなか皮片の水分含有量は新製時５〜６％であったものが−１０度の冷凍庫に３週間保存した後の水分含有量が１５〜１８％に増加する程度で、もなか皮片の機械的強度の低下は小さく問題はない。従って、まき餌入りもなかの外観は変化なく、指触感覚においても形くずれする心配はなく、成形状態は維持される。水分含有量は２５重量％以下程度であれば本発明を実施できる。
【００１１】
（ｃ）において、対応した他方のもなか皮片１３の接合面に接着剤１４を塗布して２つのもなか皮片同士を合体固着して密封成形する。接着剤１４としては、まずニカワをエチルアルコール３重量％で溶解撹拌して適度な粘液性を有する接着剤を作成して、へラ又は熊毛ハケで塗布する。あるいは、市販の水飴をエチルアルコール１０重量％で溶かして、へラ又は先端をまるめた５ミリ径のガラス棒で接合面に塗布する。
【００１２】
（ｄ）においては、製造したまき餌入りもなか１０を冷凍庫２０に入れて冷凍し、保存する。冷凍することにより腐敗を防止すると共にもなかの皮が水分を吸収して型くずれすることを防止する。
【００１３】
図２は、本発明のまき餌入りもなかを使用する場合の説明図である。発明者は、前記した製造方法で試作したまき餌入りもなかをアイスボックスに保管し、船で漁場に運び、アイスボックスからまき餌入りもなか１０を取り出して、持参したマキエカゴ３０にいれて海水に投入した。海水に投入するまで、まき餌入りもなかによる手、衣服、船内の汚れはなく、嫌な臭いもなく、持ち運びが便利であると共に、お菓子のもなかと同じように容易扱えることを確認した。
【００１４】
本発明のまき餌入りもなかは、日の当たる店頭に陳列され、直射日光の当たる場所で使用さた場合においても、もなかの皮片に断熱効果があるので、従来の餌材よりも解凍されにくく、腐敗の進行が遅く長持ちする。また、長時間放置された場合には、もなかに充填密封されたまき餌の酸化、腐敗が進み、品質が劣化して嫌気性臭気ガスが発生し、もなかの内圧が上昇するが、もなか皮片の肉厚が２ｍｍ程度あればおよび耐圧５０ｇ／ｃｍ２の強度まで耐圧が維持され、密封保持されるので、従来のものと比べて臭いの発生が抑止される。
【００１５】
マキエカゴ３０に入れたまき餌入りもなか１０は海中に投入後２５〜３５秒経過すると、もなか皮片外側表面から海水が浸透することによってもなか皮片の実効肉厚が薄くなり、強度が低下する。また、もなかに充填された餌材の腐敗により発生していたガスの圧力によってまき餌入りもなかは溶解して崩壊し、まき餌が飛散することでピンポイントにおける著しい集魚作用が発生する。
【００１６】
東京湾内の走水ではアジの魚棚は一般に水面下７０〜８０ｍであり、投入したマキエカゴ３０に入れたまき餌もなかは２５〜３０秒でアジの魚棚に到達する。魚棚に到達してからアジの喰つきまでの時間をストップウォッチにて計測したところ平均約２分であつた。１回投入毎に１魚喰いつきがあり、５回投入して５魚釣り上げた実績を得た。
【００１７】
その間、水面下３５〜４０ｍのサバ魚柵をまき餌入りもなかを入れたマキエカゴが通過したが、サバは１魚も喰いつかなかった。以上の実施例から、投入後サバが喰いつくことが多かった従来の技術に比べて本発明のまき餌入りもなかは著しいピンポイント集魚効果が得られることが確認できた。
【００１８】
以上、本発明の実施例を開示したが、本発明には下記のような変形例も考えられる。実施例においては、公知のもなかの皮片を使用することによって、海中へ投入後２５〜３５秒経過すると崩壊するものが得られたが、崩壊までの経過時間の目標がより長いかあるいは短い場合には、もなかの肉厚を変更することにより調整が可能である。更に、もなかの皮片の生地の複数の材料の混合割合を変えることによって崩壊までの時間を調節することも可能である。
【００１９】
実施例においては、一般的な形状のもなかの皮片を開示したが、もなかの形状および大きさは平たい円筒形の他、球形、楕円球形、直方体、細長い円筒形など任意である。また、実施例においては同じ形状の２つのもなかの皮片を接合する例を開示したが、例えば鍋の形状と蓋の形状の組み合わせなど異なる形状の組み合わせであってもよい。
【００２０】
【発明の効果】
以上述べたように、本発明のまき餌入りもなかによれば、製造が容易で、お菓子のもなかと同じように扱え、密封されているため餌材のにおいを感じることがなく、マキエカゴに素手で入れても手や衣服及び船内を汚すことなく、簡単に漁場まで持ち運びが出来、腐敗の進行が遅く、海に投入後２５〜３５秒後に魚棚において速やかにまき餌入りもなかが溶解して崩壊し、ピンポイントの集魚効果を実現でき、無公害であるという効果がある。
【図面の簡単な説明】
【図１】本発明のまき餌入りもなかの製造工程を示す説明図である。
【図２】本発明のまき餌入りもなかを使用する場合の説明図である。
【符号の説明】
１０…まき餌入りもなか、１１、１３…もなか皮片、１２…まき餌、１４…接着剤、２０…冷凍庫、３０…マキエカゴ
【図１】
2004275018.tif 000003
【図２】
2004275018.tif 000004